(57)【要約】      （修正有）【課題】良好な紙送りをするペーパーガイドメカニズムを提供する。【解決手段】ペーパーガイドメカニズムは、ペーパー積載部、ガイドメカニズム本体、及び単方向ロックメカニズムを備える。ガイドメカニズム本体は、ペーパー積載部上に装着し、連動ギヤと、左ガイド部と、右ガイド部とを備える。左ガイド部はスライド可能で、左ガイド壁と左ラックギヤを備える。右ガイド部は、スライド可能で右ガイド壁と右ラックギヤを備える。左ラックギアと右ラックギヤはそれぞれ連動ギヤと相互に噛合する。単方向ロックメカニズムは、ガイドメカニズム本体とペーパー積載部間に装着する。【選択図】図２
0003159623.tif 000002
【実用新案登録請求の範囲】
【請求項１】
ペーパー積載部と、
ペーパー積載部上に装着し、自由に回転する状態でペーパー積載部上に装着される連動ギヤ、左ガイド部、及び右ガイド部を備え、前記左ガイド部はスライド可能状態でペーパー積載部上に取り付けられ、それは、左ガイド壁と左ラックギヤを備え、前記左ラックギヤは、連動ギヤと相互に噛合し、前記右ガイド部は、スライド可能状態でペーパー積載部上に取り付けられ、それは右ガイド壁と右ラックギヤを備え、前記右ラックギヤは、連動ギヤと相互に噛合するガイドメカニズム本体と、
ガイドメカニズム本体とペーパー積載部間に装着する単方向ロックメカニズムとを備えることを特徴とするペーパーガイドメカニズム。
【請求項２】
請求項１記載のペーパーガイドメカニズムにおいて、前記右ガイド壁上には右ガイド壁の上、下端面を貫通する収納中空部を設け、前記ペーパー積載部上にはラックギヤ係合部を設け、前記単方向ロックメカニズムは、スライド可能状態で収納中空部内に収める可動サポートと、可動サポート上に装着する単方向クラッチと、単方向クラッチと共に装着する単方向ギヤと、可動サポートと収納中空部の一端壁の間に装着するバネと、プッシュ体とを備え、前記単方向ギヤは、ペーパー積載部上のラックギヤ係合部と相互に噛合し、前記プッシュ体は、スライド可能状態で右ガイド壁に装着し可動サポートに固着連結することを特徴とするペーパーガイドメカニズム。
【請求項３】
請求項１記載のペーパーガイドメカニズムにおいて、前記ペーパー積載部の下端面上には内設溝を備え、前記連動ギヤはピンで自由に回転可能な状態で内設溝内に取り付けることを特徴とするペーパーガイドメカニズム。
【請求項４】
請求項２記載のペーパーガイドメカニズムにおいて、前記右ガイド部の右ガイド壁の上端面には軌跡曲線溝を設け、前記プッシュ体には右ガイド壁上の軌跡曲線溝と係合するスライド溝を設けることを特徴とするペーパーガイドメカニズム。
【請求項５】
請求項２記載のペーパーガイドメカニズムにおいて、前記可動サポートはピンでプッシュ体と共に固着することを特徴とするペーパーガイドメカニズム。
【請求項６】
請求項２記載のペーパーガイドメカニズムにおいて、前記可動サポートの一端には位置限定溝を設け、前記バネの一端は可動サポートに力を働かせ、しかも位置限定溝内に収められることを特徴とするペーパーガイドメカニズム。
【考案の詳細な説明】
【技術分野】
【０００１】
本考案は、紙送り補助メカニズムに関し、特にペーパーガイドメカニズムに係る。
【背景技術】
【０００２】
一般のプリンター、スキャナー、多機能タイプ事務機等のペーパーガイドメカニズムは、通常、ペーパー積載部、ペーパー積載部上に取り付けたガイドメカニズム本体を備える。ガイドメカニズム本体は、自由に回転しペーパー積載部上に装着される連動ギヤ、左ガイド部、及び右ガイド部を備える。前記左ガイド部はスライド可能状態でペーパー積載部上に取り付けられ、それは、左ガイド壁と左ラックギヤを備える。前記左ラックギヤは連動ギヤと相互に噛合する。前記右ガイド部は、スライド可能状態でペーパー積載部に取り付けられ、それは右ガイド壁と右ラックギヤを備える。前記右ラックギヤは連動ギヤと相互に噛合する。
【０００３】
前記ペーパーガイドメカニズムは、手動方式で左ガイド部と右ガイド部間の幅を調整する為、それぞれ異なる紙幅に対応して紙送りの際の曲がりを防止する。前記ペーパーガイドメカニズムが左ガイド部と右ガイド部間の幅を調節する場合、左ガイド部と右ガイド部にはギヤと二つのラックギヤによって連動が起きる。ペーパーガイドメカニズムは主に、左ガイド部、右ガイド部、及び連動ギヤが動く時に発生する摩擦力により左ガイド部、右ガイド部が両側の外方向に滑り動くのを制限する。
【０００４】
しかし、前述のペーパーガイドメカニズムは、左ガイド部、右ガイド部装着の隙間と連動ギヤが動く時に発生する摩擦力によって左ガイド部、右ガイド部が定位し、ペーパーは外方向へのプッシュ力作用の下、自然に外方向にスライドし易く、効果的なペーパーガイド作用を達成するのは難しい。
【考案の概要】
【考案が解決しようとする課題】
【０００５】
本考案の目的は、前述の公知技術に存在する欠点に鑑み、左ガイド部、右ガイド部が自然に外方向にスライドしてしまうのを防止し、更に良好に紙を正しく送るペーパーガイドメカニズムを提供することにある。
【課題を解決するための手段】
【０００６】
前述目的を実現する為、本考案のペーパーガイドメカニズムは、ペーパー積載部、ガイドメカニズム本体、及び単方向ロックメカニズムを備える。前記ガイドメカニズム本体は、ペーパー積載部上に装着し、自由に回転する状態でペーパー積載部上に装着される連動ギヤ、左ガイド部、及び右ガイド部を備える。前記左ガイド部はスライド可能状態でペーパー積載部上に取り付けられ、それは、左ガイド壁と左ラックギヤを備える。前記左ラックギヤは連動ギヤと相互に噛合する。前記右ガイド部は、スライド可能状態でペーパー積載部に取り付けられ、それは右ガイド壁と右ラックギヤを備える。前記右ラックギヤは連動ギヤと相互に噛合する。前記単方向ロックメカニズムはガイドメカニズム本体とペーパー積載部間に装着する。
【考案の効果】
【０００７】
本考案のペーパーガイドメカニズムは、単方向ロックメカニズムを増設して左ガイド部、右ガイド部が自然に外側にスライドしてしまうのを防ぎ、更に良好な紙送りをする効果を持つ。
【図面の簡単な説明】
【０００８】
【図１】本考案のペーパーガイドメカニズムの立体図である。
【図２】本考案のペーパーガイドメカニズムの立体分解図である。
【図３】図１に示すペーパー積載部の別の角度からの立体図である。
【図４】図１に示すプッシュ体の別の角度からの立体図である。
【図５】本考案のペーパーガイドメカニズムの部分断面図である。
【考案を実施するための形態】
【０００９】
本考案の技術内容、構造特徴、及びそれが達成する目的と効果を明らかにするために、次に、実施例と図面を組み合わせた詳細説明をする。
【００１０】
図１及び図２に示す通り、本考案のペーパーガイドメカニズム１００は、ペーパー積載部１、ガイドメカニズム本体、及び単方向ロックメカニズム６を備える。
【００１１】
図２及び図３に示す通り、前記ペーパー積載部１上には左ガイド溝１１と右ガイド溝１２を設け、ペーパー積載部１上の右ガイド溝１２の一方側にはラックギヤ係合部１３を設け、ペーパー積載部１下端面上には内設溝１４を備える。
【００１２】
図２に示す通り、ガイドメカニズム本体はペーパー積載部１上に装着し、それは連動ギヤ４、左ガイド部２、及び右ガイド部３を備える。前記連動ギヤ４はピン５で自由に回転可能な状態でペーパー積載部１上の内設溝１４内に取り付ける。前記左ガイド部２は、スライド可能状態でペーパー積載部１上に装着し、それは左ガイド壁２２及び左ラックギヤ２１を備え、前記左ラックギヤ２１は、左ガイド溝１１内に収められて連動ギヤ４と相互に噛合する。前記右ガイド部３は、スライド可能状態でペーパー積載部１上に取り付けられ、それは右ガイド壁３２と右ラックギヤ３１を備え、前記右ラックギヤ３１は、右ガイド溝１２内に収められて連動ギヤ４と相互に噛合する。前記右ガイド壁３２上には右ガイド壁３２の上、下端面を貫通する収納中空部３２１を設け、前記右ガイド壁３２上端面には軌跡曲線溝３２２を設ける。
【００１３】
図２及び図４に示す通り、単方向ロックメカニズム６はガイドメカニズム本体とペーパー積載部１間に装着する。単方向ロックメカニズム６は、スライド可能状態で収納中空部３２１内に収められる可動サポート６１と、可動サポート６１上に装着する単方向クラッチ６３と、単方向クラッチ６３と共に装着する単方向ギヤ６４と、可動サポート６１と収納中空部３２１一端壁の間に装着するバネ６２と、プッシュ体６５とを備える。前記可動サポート６１の一端には位置限定溝６１１を設け、前記バネ６２の一端は可動サポート６１を押して位置限定溝６１１内に収められる。前記プッシュ体６５上には右ガイド壁３２の軌跡曲線溝３２２と係合するスライド溝６５１を備える。前記単方向ギヤ６４はペーパー積載部１上のラックギヤ係合部１３と相互に噛合し、前記プッシュ体６５は、スライド可能状態で右ガイド壁３２に装着し、ピン６７でそれと可動サポート６１を一緒に固着し、左ガイド部２と右ガイド部３が対応方向に移動する場合、単方向ギヤ６４はラックギヤ係合部１３に沿って自由に回転することが可能である。
【００１４】
前記バネ６２の一端は右ガイド部３上の収納中空部３２１一端壁上に力を働かせ、もう一端は可動サポート６１上に力を働かせ、前記単方向ギヤ６４はペーパー積載部１上のラックギヤ係合部１３と相互に噛合する。左ガイド部２と右ガイド部３が定位した後は、単方向クラッチ６３と単方向ギヤ６４の作用によって、紙をプッシュする力によって左ガイド部２と右ガイド部３を外側方向にスライドさせることはなく、よって、更に良好なガイド作用が得られる。左ガイド部２と右ガイド部３を外側方向にスライドさせたい場合は、プッシュ体６５を押すと、単方向ギヤ６４とラックギヤ係合部１３が分離され、左ガイド部２と右ガイド部３は必要位置まで移動し、その後プッシュ体６５を放すと、単方向ギヤ６４とラックギヤ係合部１３は相互に噛合する。
【符号の説明】
【００１５】
１００  ペーパーガイドメカニズム
１  ペーパー積載部
１１  左ガイド溝
１２  右ガイド溝
１３  ラックギヤ係合部
１４  内設溝
２  左ガイド部
２１  左ラックギヤ
２２  左ガイド壁
３  右ガイド部
３１  右ラックギヤ
３２  右ガイド壁
３２１  収納中空部
３２２  軌跡曲線溝
４  連動ギヤ
５  ピン
６７  ピン
６  単方向ロックメカニズム
６１  可動サポート
６１１  位置限定溝
６２  バネ
６３  単方向クラッチ
６４  単方向ギヤ
６５  プッシュ体
６５１  スライド溝
６６    ルト
【図１】
0003159623.tif 000003
【図２】
0003159623.tif 000004
【図３】
0003159623.tif 000005
【図４】
0003159623.tif 000006
【図５】
0003159623.tif 000007